(57)【要約】      （修正有）【課題】アングル鋼を迅速に組付けて全長を増加することができるアングル鋼組合せ構造を提供する。【解決手段】両面が９０度に屈折され、長形を呈し、両面には、複数の第１の固定穴１１が軸線に沿うようにそれぞれ設けられており、その一端には、両面からそれぞれ屈折されて伸びる接続片１２が両面に平行であるように設けられており、各接続片に固定部材１６が設けられている少なくとも一つの第１のアングル鋼１０と、両面が９０度に屈折され、長形を呈し、両面には、複数の第２の固定穴２１が軸線に沿うようにそれぞれ設けられており、各接続片の一端の近傍に第２の嵌め込み穴２２がそれぞれ設けられており、各第２の嵌め込み穴の第１のアングル鋼から遠く離れた一端に第２の係合溝が延びる第２のアングル鋼２０と、を備える。【選択図】図２
0003233983.tif 000002
【実用新案登録請求の範囲】
【請求項１】
両面が９０度に屈折され、長形を呈し、前記両面には、複数の第１の固定穴が軸線に沿うようにそれぞれ設けられており、その一端には、前記両面からそれぞれ屈折されて伸びる接続片が前記両面に平行であるように設けられており、前記各接続片に固定部材が設けられており、前記固定部材は、ネック部と、ヘッド部と、を有する少なくとも一つの第１のアングル鋼と、
両面が９０度に屈折され、長形を呈し、前記両面には、複数の第２の固定穴が軸線に沿うようにそれぞれ設けられており、前記各接続片の一端の近傍に第２の嵌め込み穴がそれぞれ設けられており、前記各第２の嵌め込み穴の前記第１のアングル鋼から遠く離れた一端に第２の係合溝が延び、長形な前記第２の嵌め込み穴と前記第２の係合溝とはＴ字形を呈し、前記第２の嵌め込み穴の穴径は、前記ヘッド部の直径より大きく、前記第２の嵌め込み穴の長さは、前記ヘッド部の直径の１．５倍より大きく、又は同じであり、前記第２の係合溝の穴径は、前記ネック部の直径よりやや大きく、前記ヘッド部の直径より小さく、前記固定部材は、前記第２の嵌め込み穴を挿通した後、前記ネック部が前記第２の係合溝に係止されることにより、前記第１のアングル鋼と結合する第２のアングル鋼と、
を備えることを特徴とするアングル鋼組合せ構造。
【請求項２】
前記各第１のアングル鋼の他端には、前記各固定部材に応じて第１の嵌め込み穴がそれぞれ設けられており、前記各第１の嵌め込み穴には、隣接する前記第１の固定穴へ第１の係合溝がそれぞれ延び、長形な前記第１の嵌め込み穴と前記第１の係合溝とはＴ字形を呈し、前記第１の嵌め込み穴の穴径は、前記ヘッド部の直径より大きく、前記第１の嵌め込み穴の長さは、前記ヘッド部の直径の１．５倍より大きく、又は同じであり、前記第１の係合溝の穴径は、前記ネック部の直径よりやや大きく、前記ヘッド部の直径より小さく、前記固定部材は、前記第１の嵌め込み穴を挿通した後、前記ネック部が前記第１の係合溝に係止され、これにより、前記第１のアングル鋼は別の前記第１のアングル鋼と結合することを特徴とする、請求項１に記載のアングル鋼組合せ構造。
【請求項３】
前記接続片同士の間に隙間が形成されていることを特徴とする、請求項１に記載のアングル鋼組合せ構造。
【考案の詳細な説明】
【技術分野】
【０００１】
本考案は、組合せ構造に関し、特に、アングル鋼に適用され、アングル鋼を互い組付けることにより、全体の長さを増加するアングル鋼組合せ構造に関するものである。
【背景技術】
【０００２】
市販しているアングル鋼の利用が極めて広汎であり、アングル鋼の組付け及び分解が極めて便利であり、そして仕様はカスタマイズすることが可能なため、収納棚や陳列棚、ハンガーなどとして多く使われる。アングル鋼を設計するときに、異なる仕様によって、異なる長さに切断することが必要なため、作業は面倒である他、長すぎるアングル鋼の輸送は不便である問題があった。
【考案の概要】
【考案が解決しようとする課題】
【０００３】
本考案の主な目的は、各第１のアングル鋼と第２のアングル鋼を簡易な係止方式によって組付けることにより、互に結合することができ、アングル鋼を迅速に組付けて全長を増加することができるアングル鋼組合せ構造を提供することにある。
【課題を解決するための手段】
【０００４】
本考案に係るアングル鋼組合せ構造によると、両面が９０度に屈折され、長形を呈し、両面には、複数の第１の固定穴が軸線に沿うようにそれぞれ設けられており、その一端には、両面からそれぞれ屈折されて伸びる接続片が両面に平行であるように設けられており、各接続片に固定部材が設けられており、固定部材は、ネック部と、ヘッド部と、を有する少なくとも一つの第１のアングル鋼と、
両面が９０度に屈折され、長形を呈し、両面には、複数の第２の固定穴が軸線に沿うようにそれぞれ設けられており、各接続片の一端の近傍に第２の嵌め込み穴がそれぞれ設けられており、各第２の嵌め込み穴の第１のアングル鋼から遠く離れた一端に第２の係合溝が延び、長形な第２の嵌め込み穴と第２の係合溝とはＴ字形を呈し、第２の嵌め込み穴のの穴径は、ヘッド部の直径より大きく、第２の嵌め込み穴の長さは、ヘッド部の直径の１．５倍より大きく、又は同じであり、第２の係合溝の穴径は、ネック部の直径よりやや大きく、ヘッド部の直径より小さく、固定部材は、第２の嵌め込み穴を挿通した後、ネック部が第２の係合溝に係止されることにより、第１のアングル鋼と結合する第２のアングル鋼と、
を備えることを特徴とする。
【０００５】
本考案に係るアングル鋼組合せ構造によると、各第１のアングル鋼の他端には、各固定部材に応じて第１の嵌め込み穴がそれぞれ設けられており、各第１の嵌め込み穴には、隣接する第１の固定穴へ第１の係合溝がそれぞれ延び、長形な第１の嵌め込み穴と第１の係合溝とはＴ字形を呈し、第１の嵌め込み穴の穴径は、ヘッド部の直径より大きく、第１の嵌め込み穴の長さは、ヘッド部の直径の１．５倍より大きく、又は同じであり、第１の係合溝の穴径は、ネック部の直径よりやや大きく、ヘッド部の直径より小さく、固定部材は、第１の嵌め込み穴を挿通した後、ネック部が第１の係合溝に係止され、これにより、第１のアングル鋼は別の第１のアングル鋼と結合することを特徴とする。
【０００６】
本考案に係るアングル鋼組合せ構造によると、接続片同士の間に隙間が形成されていることを特徴とする。
【０００７】
アングル鋼の全長を増加しようとする場合に、各第１のアングル鋼の他端には、各固定部材の位置に応じて、第１の嵌め込み穴がそれぞれ設けられている。各第１の嵌め込み穴には、隣接する第１の固定穴の方向へ伸びる第１の係合溝が設けられている。これにより、少なくとも一つの第１の嵌め込み穴は、長形を呈し、第１の係合溝とＴ字形を呈する。第１の嵌め込み穴の穴径は、ヘッド部の直径より大きい。第１の嵌め込み穴の長さは、ヘッド部の直径の１．５倍より大きく、又は同じである。第１の係合溝の穴径は、ネック部の直径よりやや大きく、ヘッド部の直径より小さい。固定部材は、第１の嵌め込み穴を挿通した後、ネック部により第１の係合溝に係止される。これにより、第１のアングル鋼は別の第１のアングル鋼と結合する。最後に、隣接する第２のアングル鋼の固定部材を、それに対応する第２の係合溝に係止すると、アングル鋼の全長を増加することができる。
【考案の効果】
【０００８】
本考案に係るアングル鋼組合せ構造によれば、各第１のアングル鋼と第２のアングル鋼を簡易な係止方式によって組付けることにより、互に結合することができ、アングル鋼を迅速に組付けて全長を増加することができ、これにより、第１のアングル鋼を同じ長さに切断することができ、異なる長さに切断することが必要せず、且つアングル鋼がより短いため、輸送および運搬は便利となるという効果がある。
【図面の簡単な説明】
【０００９】
【図１】本考案の第１の実施の形態の長形な第２の嵌め込み穴と第２の係合溝とがＴ字形を呈することを示す斜視図である。
【図２】本考案の第１の実施の形態を示す分解斜視図である。
【図２Ａ】図２のサークルで囲まれた部分の拡大図である。
【図３】本考案の第１の実施の形態の二つの長形な第２の嵌め込み穴と第２の係合溝とがＴ字形を呈することを示す斜視図である。
【図３Ａ】図３のサークルで囲まれた部分の拡大図である。
【図４】本考案の第２の実施の形態を示す分解斜視図である。
【図４Ａ】図４のサークルで囲まれた部分の拡大図である。
【図５】本考案に係る接続片を示す側面図である。
【図５Ａ】固定部材を示す拡大図である。
【図５Ｂ】第２の嵌め込み穴を示す拡大図である。
【図６】本考案に係るアングル鋼がショーケースに組み立てられた状態を示す斜視図である。
【考案を実施するための形態】
【００１０】
以下、本考案の実施の形態を図面に基づいて説明する。
【００１１】
図１から図２Ａを参照する。本考案に係るアングル鋼組合せ構造は、少なくとも一つの第１のアングル鋼１０と、第２のアングル鋼２０と、を備える。両面が９０度に屈折され長形を呈する第１のアングル鋼１０は、前記両面に、複数の第１の固定穴１１が軸線に沿うようにそれぞれ設けられている。第１のアングル鋼１０の一端には、前記両面から屈折されて伸びる接続片１２がそれぞれ設けられている。各接続片１２は第１のアングル鋼１０に平行である。各接続片１２に固定部材１６が設けられている。固定部材１６は、ネック部１６１と、ヘッド部１６２と、を有する。第２のアングル鋼２０は、両面が９０度に屈折され、長形を呈し、前記両面には、複数の第２の固定穴２１が軸線に沿うようにそれぞれ設けられており、各接続片１２に近接する一端は、複数の第２の嵌め込み穴２２を有する。これにより、少なくとも一つの前記第２の嵌め込み穴２２は、長形を呈し、第２の係合溝２２１とＴ字形を呈する。第２の嵌め込み穴２２の穴径は、ヘッド部１６２の直径より大きく、且つ第２の嵌め込み穴２２の長さは、ヘッド部１６２の直径の１．５倍より大きく、又は同じである。第２の係合溝２２１の穴径は、ネック部１６１の直径よりやや大きく、且つヘッド部１６２の直径より小さい。固定部材１６は、第２の嵌め込み穴２２を挿通した後、ネック部１６１により第２の係合溝２２１に係止される。これにより、第１のアングル鋼１０を第２のアングル鋼２０に結合することができ、アングル鋼の全長を増加することができる。
【００１２】
図２及び図２Ａを参照する。各接続片１２と第１のアングル鋼１０が一体に成形された場合には、接続片１２同士の間に隙間１４が形成される。溶接により、各接続片係１２が第１のアングル鋼１０と結合した場合には、接続片１２同士の間に隙間１４が形成されないことがある。
【００１３】
図３及び図３Ａは、図２及び図２Ａと相違する点は、図２及び図２Ａに示す第２のアングル鋼２０の第２の嵌め込み穴２２が、長形を呈し、第２の係合溝２２１とＴ字形を呈し、別の第２の嵌め込み穴２２の形状が第２の固定穴２１の形状と同じであり、図３及図３Ａに示す第２のアングル鋼２０の第２の嵌め込み穴２２が、長形を呈し、第２の係合溝２２１とＴ字形を呈し、第２の嵌め込み穴２２の形状が第２の固定穴２１の形状と異なることにある。
【００１４】
図４及び図４Ａを参照する。複数のアングル鋼を組付けようとする場合には、各第１のアングル鋼１０の他端は、前記各固定部材１６に対応する位置に、第１の嵌め込み穴１８がそれぞれ設けられている。各第１の嵌め込み穴１８は、近傍の第１の固定穴１１へ第１の係合溝１８１がそれぞれ延びる。これにより、少なくとも一つの第１の嵌め込み穴１８は、長形を呈し、第１の係合溝１８１とＴ字形を呈する。第１の嵌め込み穴１８の穴径は、ヘッド部１６２の直径より大きく、且つ第１の嵌め込み穴１８の長さは、ヘッド部１６２の直径の１．５倍より大きく、又は同じである。第１の係合溝１８１の穴径は、ネック部１６１の直径よりやや大きく、且つヘッド部１６２の直径より小さい。固定部材１６は、第１の嵌め込み穴１８を挿通した後、ネック部１６１により第１の係合溝１８１に係止される。これにより、第１のアングル鋼１０は別の第１のアングル鋼１０と結合し、次に、第２のアングル鋼２０を、それに対応する第１のアングル鋼１０に組付けると、アングル鋼の長さを増加することができる。
【００１５】
図５及び図２から図４Ａを参照する。各固定部材１６は、それに対応する二つの接続片１２に設けられている。図に示すように、各固定部材１６の中段にネック部１６１が設けられており、第１の係合溝１８１と第２の係合溝２２１との穴径は、ネック部１６１の直径よりやや大きい。これにより、ネック部１６１は、第１の係合溝１８１又は第２の係合溝２２１に係止されることができる。第１の嵌め込み穴１８と第２の嵌め込み穴２２との穴径は、ヘッド部１６２の直径より大きい。
【００１６】
図５Ａ、図５Ｂ及び図４を参照する。固定部材１６のネック部１６１の直径は、ヘッド部１６２の直径と異なる。図５Ａに示すように、ネック部１６１の直径をａとし、ヘッド部１６２の直径をＡとし、第２のアングル鋼２０に設けられている各第２の嵌め込み穴２２が第２の係合溝２２１とＴ字形を呈する場合には、図５Ｂに示すように、第２の嵌め込み穴２２の穴径をＤとし、第２の嵌め込み穴２２の長さをＬとし、第２の係合溝２２１の穴径をｄとする。そして、Ｄ＞Ａであり、ａ＜ｄ＜Ａであり、Ｌ≧１．５Ａである。一方、第１の嵌め込み穴１８は、第１の係合溝１８１とＴ字形を呈する場合に、図５Ｂに示す第２の嵌め込み穴２２の長さ、穴径および大きさと同じである。
【００１７】
図６を参照する。図６は、本考案に係るアングル鋼がショーケースに組付けられる実施の形態を示す図である。組付けられていない第１のアングル鋼１０及び第２のアングル鋼２０を輸送するときには、アングル鋼が短いため、輸送および運搬が便利となる。そして第１のアングル鋼１０及び第２のアングル鋼２０は、簡易な係止方式により、互に結合することができ、アングル鋼を迅速に組付けて全長を増加することができる。
【符号の説明】
【００１８】
１０    第１のアングル鋼
１１    第１の固定穴
１２    接続片
１４    隙間
１６    固定部材
１６１  ネック部
１６２  ヘッド部
１８    第１の嵌め込み穴
１８１  第１の係合溝
２０    第２のアングル鋼
２１    第２の固定穴
２２    第２の嵌め込み穴
２２１  第２の係合溝
【図１】
0003233983.tif 000003
【図２】
0003233983.tif 000004
【図２Ａ】
0003233983.tif 000005
【図３】
0003233983.tif 000006
【図３Ａ】
0003233983.tif 000007
【図４】
0003233983.tif 000008
【図４Ａ】
0003233983.tif 000009
【図５】
0003233983.tif 000010
【図５Ａ】
0003233983.tif 000011
【図５Ｂ】
0003233983.tif 000012
【図６】
0003233983.tif 000013